(57)【要約】【課題】本発明は、数波長で１組、またはこれが複数組になった単波長の光によって短時間に生活習慣病の指標となる一種以上の因子情報を取得することができ、コンパクトで検出結果が高精度の安価な非侵襲型の血管情報分析装置と、生活習慣病因子情報検査方法を提供することを目的とする。【解決手段】本発明の血管情報分析装置と生活習慣病因子情報検査方法は、第１及び第２の単波長の光をそれぞれ照射する第１及び第２の光源２１１、２１２と、光源２１１、２１２から順に照射された光を集光し出射端から順次検査部位へ照射する光結合部３と、この反射光を受光して検査部位を撮像する撮像部４と、第１及び第２の光で撮像した画像情報の強度比を測定して血管情報分析を行う制御部５とを備え、制御部５には、血管の方向と幅を検出して異方性ノイズ除去処理を行う画像フィルター手段８ａが設けられていることを主要な特徴とする。【選択図】図１
2008142296.tif 000002
【特許請求の範囲】
【請求項１】
第１及び第２の単波長の光をそれぞれ照射する第１及び第２の光源と、前記光源から順に照射された光を集光し出射端から順次検査部位へ照射する光結合部と、この反射光を受光して前記検査部位を撮像する撮像部と、前記第１及び第２の光で撮像した画像情報の強度比を測定して血管情報分析を行う制御部とを備え、前記制御部には、血管の方向と幅を検出して異方性ノイズ除去処理を行う画像フィルター手段が設けられていることを特徴とする血管情報分析装置。
【請求項２】
前記画像フィルター手段が、前記画像情報の輝度ベクトルの線集中度によって血管の方向と幅を検出し、検出した血管領域に対して異方性ノイズ除去処理を行うことを特徴とする請求項１記載の血管情報分析装置。
【請求項３】
前記第１及び第２の単波長の光が１つの組とされ、前記1つの組の強度比に基づいて生活習慣病の指標となる一因子の血管情報分析を行うことを特徴とする請求項１または２記載の血管情報分析装置。
【請求項４】
前記第１及び第２の単波長の光が緑色光であって、血管の酸素飽和度の血管情報分析を行うことを特徴とする請求項３記載の血管情報分析装置。
【請求項５】
前記第１及び第２の光源のほかに、第３の単波長の光を照射できる少なくとも１個以上の第３の光源を備えて、前記第１，第２及び第３の光で撮像を行うことを特徴とする請求項１〜４のいずれかに記載の血管情報分析装置。
【請求項６】
前記単波長の光の組が複数組設けられ、前記光源がそれぞれ該複数組の単波長の光を照射して、生活習慣病の指標となる複数因子の血管情報分析を行うことを特徴とする請求項３〜５のいずれかに記載の血管情報分析装置。
【請求項７】
前記制御部が、前記撮像部の出力と同期して前記光源を駆動し、ビデオレートで前記単波長の光を順に照射させることを特徴とする請求項１〜６のいずれかに記載の血管情報分析装置。
【請求項８】
請求項１〜７のいずれかの血管情報分析装置において、第１及び第２の単波長の光をそれぞれ照射する第１及び第２の光源と、前記光源から順に照射された光を集光し出射端から順次検査部位へ照射する光結合部と、に代えて、光を照射する光源と、前記光源から照射された光の波長を変調して出射端から単波長の光を順次検査部位へ照射する光変調部を設けたことを特徴とする血管情報分析装置。
【請求項９】
第１及び第２の光源からそれぞれ第１及び第２の単波長の光を順に照射し、これを集光して出射端から順次光信号列として検査部位へ照射し、この反射光によって前記検査部位を撮像して、前記第１及び第２の光で撮像した画像情報の強度比を基に血管情報分析を行う生活習慣病因子情報検査方法であって、前記強度比を取得するに当って血管の方向と幅を検出すると共に異方性ノイズ除去処理を行うことを特徴とする生活習慣病因子情報検査方法。
【請求項１０】
前記画像情報の輝度ベクトルの線集中度によって血管の方向と幅を検出し、検出した血管領域に対して異方性ノイズ除去処理を行うことを特徴とする請求項９記載の生活習慣病因子情報検査方法。
【請求項１１】
前記第１及び第２の単波長の光が１つの組とされ、前記1つの組の強度比に基づいて生活習慣病の指標となる一因子の血管情報分析を行うことを特徴とする請求項９または１０記載の生活習慣病因子情報検査方法。
【請求項１２】
前記第１及び第２の単波長の光が緑色光であって、血管の酸素飽和度の血管情報分析を行うことを特徴とする請求項１１記載の生活習慣病因子情報検査方法。
【請求項１３】
前記単波長の光の組が複数組設けられ、前記光源からそれぞれ該複数組の単波長の光を照射して、生活習慣病の指標となる複数因子の血管情報分析を行うことを特徴とする請求項１１または１２記載の生活習慣病因子情報検査方法。
【請求項１４】
撮像部の出力と同期して前記単波長の光をビデオレートで順に照射することを特徴とする請求項９〜１３のいずれかに記載の生活習慣病因子情報検査方法。
【請求項１５】
前記第１及び第２の光源のほかに、第３の単波長の光を照射する少なくとも１個以上の第３の光源を備えて、前記第１，第２及び第３の光で撮像を行うことを特徴とする請求項９〜１４のいずれかに記載の生活習慣病因子情報検査方法。
【請求項１６】
請求項９〜１５のいずれかの生活習慣病因子情報検査方法において、第１及び第２の光源からそれぞれ第１及び第２の単波長の光を順に照射するのに代えて、光源から照射された光の波長を変調して第１及び第２の単波長の光を出射端から順次検査部位へ照射することを特徴とする生活習慣病因子情報検査方法。
【発明の詳細な説明】
【技術分野】
【０００１】
本発明は、数波長で１組、またはこれが複数組になった単波長の光を順に生活習慣病の因子が検査可能な部位に照射して生活習慣病の指標となる因子情報を検出できる非侵襲型の血管情報分析装置と、数波長で１組、またはこれが複数組になった単波長の光を生活習慣病の因子が検査可能な部位に照射して生活習慣病の指標となる因子情報を検出できる非侵襲型の生活習慣病因子検査方法に関する。
【背景技術】
【０００２】
近年、糖尿病患者に代表される生活習慣病患者数は年々増加し続け、本邦で糖尿病の罹患人口は平成１５年の厚労省の発表では７４０万人、その予備群の患者数を含めると２千万人に近づいていると予想されている。糖尿病患者やその他の生活習慣病患者を救うと共に、これを予防し、ＱＯＬ（Quality of Life）を向上させることが大きな課題となっている。
【０００３】
さて、生活習慣病には様々なものがあるが、例えば高血糖の結果発症する血管障害は毛細血管が多数存在する眼底などに顕著に現れる。その他の部位でも同様の箇所がある。最近この眼底異常の早期診断法として、特徴的な因子情報の１つである酸素飽和度の可視化が試みられている。これは、異なる波長の光源で眼底を照らしたとき、血中ヘモグロビンの分光特性が酸素との結合状態によって異なることを利用するものである。例えば、図１１は眼底反射スペクトルの酸素飽和度依存性を示す。これによると５４５ｎｍ、５７０ｎｍ、５８４ｎｍでは高低の酸素飽和度が一致するが、５４５ｎｍ近傍、例えば５３９ｎｍや、５４８ｎｍ、５７７ｎｍでは反射率が異なり、この近傍ではオキシヘモグロビン（酸素血）とデオキシヘモグロビン（脱酸素血）の吸収度の差が大きく、血液の酸素吸収の状態を選択的に検出できることが分かる。さらに、この特性により酸素飽和度の状態を可視化できることが分かる。
【０００４】
なお、生活習慣病、例えば糖尿病には、上述した血管障害の目安となる血中酸素飽和度のほかに、血糖値、タンパク質量、脂質量等がある。これらが糖尿病の指標とされる理由を説明すると、糖尿病は慢性的な高血糖状態になり、グルコース（ブドウ糖）の血中濃度が異常に高い状態が継続するようになる。この状態が血管障害を招き合併症を起して視力を喪失させ、腎臓の機能を低下させる。このとき、体内では代謝異常が生じタンパク質、脂肪などが変動するなどの生化学的異常により機能的、組織学的異常を惹起する。例えば血液中には赤血球タンパク、アルブミン、血漿タンパクなどのタンパク質や、中性脂肪（トリグリセライド）、コレステロール、リン脂質、遊離脂肪酸などのいろいろな脂質成分脂質成分が存在している。従って、糖尿患者の血液を検査すると病気が進行前の状態と比較してタンパク質量、脂質量に変化がみられる。また、網膜症の原因因子として重要な増殖因子（ＶＥＧＦなど）の増加や、後期糖化反応生成物（ＡＧＥ）の産生亢進による急速な血液中への蓄積が、眼底検査の直接の対象である網膜症、その他の末梢神経障害、その他の循環障害を引き起こすし、細胞に含まれるＡＧＥ受容体（ＲＡＧＥ）もＡＧＥとの作用で細胞を老化させる。
【０００５】
従って、上述した血中酸素飽和度、血糖値、タンパク質量、脂質量、細胞の老化などの因子情報に変化があれば、いち早く糖尿病と早期に診断することができ、予防策を講じることが可能になる。高血圧や高脂血症などのその他の生活習慣病でも、それぞれ同様である。これらの因子情報は、血管に光を照射したとき、それぞれに個別の波長で特有の光吸収を示す。このため注目する生活習慣病ごとにそれぞれ個別の波長の光を照射し、照射した部位の光吸収度を検出すれば、この結果に基づいてこの生活習病の進行状況を早期診断することが可能になる。そして、これを臨床現場で利用できれば、従来のカメラのように単なる眼底血管の形状の観察だけではなく、得られた因子情報を使って質の高い診断を行うことができる。そして、これは今後予想される高齢化社会のＱＯＬ向上に大きな貢献をするものである。
【０００６】
さて、従来のこうした眼底の可視画像を得る方法としては、光源として白色光源を用い、眼底からの反射、散乱光をフィルターで波長ごとに撮影して分光画像を取得していた。また、同様に白色光源を照射し、光学素子を機械的に掃引して更にこれを高速フーリエ変換し、各波長のスペクトルを得ることも研究されている。なお、光コヒーレンストモグラフィー（ＯＣＴ）は眼底の深さ方向断面を２ｍｍ〜３ｍｍにわたって撮像ができるが、現状では形状や構造のみの可視化に限られており、生活習慣病の因子情報を検出し、その血管を流れる血液の機能イメージを得ることはできない。
【０００７】
従来の分光測定装置の一例として、白色コヒーレントパルス電磁波を光源とする分光測定装置が提案されている（特許文献１）。特許文献１で開示されている分光測定装置は、白色コヒーレントパルス電磁波を試料透過（あるいは反射）光の光源として用いると共に、時系列信号をフーリエ変換して分光スペクトルを取得し、これを基盤として時間分解及び／又は空間分解を行い、分光イメージングするものである。誘電体物質を構成要素とする電子素子の製造プロセスで静的誘電率をリアルタイムに自動測定するためのものである。しかし、この分光測定装置の検査対象は、血管情報分析装置が対象とする患者の血管とは検出対象がまったく異なり、装置が大掛かりで医療には不向きなものである。
【０００８】
これに対し、異なる波長の光で血液を照明することで網膜の血液の酸素化を判断する網膜機能カメラが提案されている（特許文献２）。特許文献２の網膜機能カメラは、第一波長帯の第一光源と、第二波長帯の第二光源とを有し、酸素化血による第一光源帯域の吸収度は第二波長帯の吸収度より大きくかつ脱酸素化血による第一光源帯域の吸収度は第二波長帯の吸収度より小さく、第一光源および第二光源からの光を眼の網膜の一部上に選択的に合焦させる手段と、それぞれの波長帯域で照明された網膜の一部のそれぞれのイメージを作るためのイメージング手段と、このイメージング手段により得られたイメージを精査するための処理手段とを備える。
【０００９】
第一光源帯域と第二光源帯域は４８０ｎｍ〜１０００ｎｍの間から選択され、酸素血と脱酸素血の吸収度の差が大きい帯域が選択される。例えば、第一光源帯域が実質的に４８８ｎｍ、第二光源帯域が６００ｎｍ、６３０ｎｍ、６３５ｎｍ、７００ｎｍの１つ、第一光源帯域が実質的に６３５ｎｍ、第二光源帯域が８３０ｎｍ、９１０ｎｍの１つ、などである。４５０ｎｍ〜５００ｎｍの青色光と６００ｎｍ〜８０５ｎｍの近赤外光とを対比させ、機能イメージを得ることができる。
【００１０】
しかし、特許文献２の網膜機能カメラはスキャンする必要があり、酸素吸収度を測定するカメラでありながら、酸素吸収度を効果的に検出する５４５ｎｍ付近の緑色光についてはその旨の示唆がない。もとより、酸素吸収度以外の生活習慣病の因子を検出できるものではない。さらに、特許文献２の機能カメラでは、測定中眼球が光に反応して動いたり瞳孔が縮小したり、拍動が影響したりして、検査結果にノイズが混入する可能性が高く、このカメラで検出精度を向上させるのは本質的に難しい。
【００１１】
ところで、ノイズ除去に関し、本発明者らの１人は、既に画像の中から線情報だけを高速に取り出すことができる線集中度画像フィルターを提案している（特許文献３参照）。この線集中度画像フィルターは、画像上の複数の測定点に対して、各測定点を通る探索線の両翼に計測用の一定形状の近傍領域を用意するとともに、該近傍領域内に含まれる複数の近傍点で画像の輝度勾配ベクトルの向きを計測し、近傍点のそれぞれで輝度勾配ベクトルの向きと探索線の方向の差を評価する集中度を計算し、近傍領域内のすべての集中度から測定点に対する線集中度を計算し、該線集中度が極大になったとき探索線に沿って線情報がある旨の判定を行うもので、さらに、輝度勾配ベクトルの向きと探索線の方向をそれぞれ離散化するとともに、予め集中度を基に各測定点で共用できる基礎加算値を計算しておき、輝度勾配ベクトルの向きを計測したときに、探索線の方向ごとに基礎加算値の候補の中から１つを選んで近傍領域内で加算することにより各測定点の線集中度を計算し、該線集中度が極大となったとき探索線の方向に沿って線情報が存在すると推定するものである。
【００１２】
また、本発明者らの他の１人は、他の研究者と共に緑色を含む狭帯域発振が可能な光ファイバーレーザーを提案している（例えば、非特許文献１、２参照）。
【００１３】
【特許文献１】特開２００３−２７９４１２号公報
【特許文献２】特開２００５−５００８７０号公報
【特許文献３】特開２００５−２８４６９７号公報
【非特許文献１】岡田他、ＩＥＥＥ Ｊ. Photonics Technol. Lett、１７（４）、Ｐ．７５９−Ｐ．７６１、２００５年
【非特許文献２】岡田他、J. Luminescence、１０６、Ｐ．１８７−Ｐ．１９４、２００４年
【発明の開示】
【発明が解決しようとする課題】
【００１４】
以上説明したように、従来は生活習慣病の一因子である酸素飽和度の可視化が提案されているのにすぎず、しかも可視化にはかなりの時間を要するものであった。そして、分光測定によるため光源の分光輝度が弱くなり、測定結果にノイズが混入してしまう。また、カメラをスキャンする必要があり、装置も大掛かりなものとなっていた。さらに、酸素吸収度を効果的に検出する５４５ｎｍ付近の緑色光を使うことについて、その有効性が認知されていない。そして、酸素吸収度以外の生活習慣病の因子に転用できるものではない。
【００１５】
すなわち、各生活習慣病の原因となる因子は１つに限られず、また、糖尿病、高血圧症、高脂血症、その他の生活習慣病を併発したような場合は、同時に検査すべき因子が多数存在する。そして、眼底の血管撮影法として、従来、血管中に注射することにより蛍光色素を投与する蛍光造影法による撮像が広く利用されているが、人によっては蛍光色素の投与でショック状態を誘引する可能性があり、この方法は患者にとって侵襲度が大きい。
【００１６】
従って、生活習慣病の様々な因子情報、例えば血中酸素飽和度、血糖値、タンパク質、脂質、血管の老化などを検査することができ、注目する生活習慣病の因子を一因子に止まらず同時に複数因子まで検査することが可能で、検査結果にノイズが少なく、血液が流れる血管から上記因子の状態（血管情報）を高精度に検出できるコンパクトで実用性があり、安価な非侵襲型の血管情報分析装置が開発されることが望まれる。
【００１７】
そこで本発明は、数波長で１組、またはこれが複数組になった単波長の光によって短時間に生活習慣病の指標となる一種以上の因子情報を取得することができ、コンパクトで検出結果が高精度の安価な非侵襲型の血管情報分析装置を提供することを目的とする。
【００１８】
また本発明は、数波長で１組、またはこれが複数組になった単波長の光によって短時間に生活習慣病の指標となる一種以上の因子情報を簡単に取得することができ、検出結果が高精度の非侵襲型の生活習慣病因子情報検査方法を提供することを目的とする。
【課題を解決するための手段】
【００１９】
本発明の血管情報分析装置は、第１及び第２の単波長の光をそれぞれ照射する第１及び第２の光源と、光源から順に照射された光を集光し出射端から順次検査部位へ照射する光結合部と、この反射光を受光して検査部位を撮像する撮像部と、第１及び第２の光で撮像した画像情報の強度比を測定して血管情報分析を行う制御部とを備え、制御部には、血管の方向と幅を検出して異方性ノイズ除去処理を行う画像フィルター手段が設けられていることを主要な特徴とする。
【００２０】
本発明の生活習慣病因子情報検査方法は、第１及び第２の光源からそれぞれ第１及び第２の単波長の光を順に照射し、これを集光して出射端から順次光信号列として検査部位へ照射し、この反射光によって検査部位を撮像して、第１及び第２の光で撮像した画像情報の強度比を基に血管情報分析を行う生活習慣病因子情報検査方法であって、強度比を取得するに当って血管の方向と幅を検出すると共に異方性ノイズ除去処理を行うことを主要な特徴とする。
【発明の効果】
【００２１】
本発明の血管情報分析装置と生活習慣病因子情報検査方法によれば、検査部位に対して異なる単波長の光を短時間に順次照射するため、検査部位の動き等のノイズを除去することができ、取得した画像情報を基に精緻な血管情報分析を行うことができる。また、光の出射位置と検査部位を一定の位置に配置して、異なった単波長の光ごとに検査部位に合焦点した画像情報を取得するが、画像のコントラスト差と機器等のノイズ混入に影響されずに画像処理で血管を抽出し、血管の方向と幅を検出して血管固有のノイズを異方性ノイズ除去処理によって除去するので、血管情報に含まれる精度の高い生活習慣病の因子情報を得ることができる。
【００２２】
そして、異なった単波長の光を照射し、各光ごとに画像情報を得て、そのまま画像処理によって分析するため、機械的な走査も分光測定する必要はなく、安価でコンパクト、きわめて簡素な構成で、実用的な非侵襲型の血管情報分析装置にすることができる。このとき、細長い線状構造物を高精度に分析が可能な画像フィルターを提供することもできる。
【００２３】
また、生活習慣病の一因子あるいは二因子以上の因子情報を簡単に検査することができる生活習慣病因子情報検査方法を提供することができる。
【発明を実施するための最良の形態】
【００２４】
本発明の第１の形態は、第１及び第２の単波長の光をそれぞれ照射する第１及び第２の光源と、光源から順に照射された光を集光し出射端から順次検査部位へ照射する光結合部と、この反射光を受光して検査部位を撮像する撮像部と、第１及び第２の光で撮像した画像情報の強度比を測定して血管情報分析を行う制御部とを備え、制御部には、血管の方向と幅を検出して血管固有のノイズを除去する画像フィルター手段が設けられていることを特徴とする血管情報分析装置である。この構成によって、検査部位に対して異なる単波長の光を短時間に順次照射するため、検査部位の動き等のノイズを除去することができ、取得した画像情報を基に精緻な血管情報分析を行うことができる。また、光の出射位置と検査部位を一定の位置に配置して、異なった単波長の光ごとに検査部位に合焦点した画像情報を取得するが、画像のコントラスト差と機器等のノイズ混入に影響されずに画像処理で血管を抽出し、血管の方向と幅を検出して血管固有のノイズを異方性ノイズ除去処理によって除去するので、血管情報に含まれる精度の高い生活習慣病の因子情報を得ることができる。そして、異なった単波長の光を照射し、各光ごとに画像情報を得て、そのまま画像処理によって分析するため、機械的な走査も分光測定する必要はなく、安価でコンパクト、きわめて簡素な構成で、実用的な非侵襲型の血管情報分析装置にすることができる。
【００２５】
本発明の第２の形態は、第１の形態において、画像フィルター手段が、画像情報の輝度ベクトルの線集中度によって血管の方向と幅を検出し、検出した血管領域に対して異方性ノイズ除去処理を行うことを特徴とする血管情報分析装置である。この構成によって、線集中度によってコントラスト差に影響されずに血管を抽出し、血管の方向と幅を検出し、血管の方向に沿った一様性を示す点に配慮して血管固有のノイズを除去するので、血管情報に含まれる精度の高い生活習慣病の因子情報を得ることができる。
【００２６】
本発明の第３の形態は、第１または第２の形態において、第１及び第２の単波長の光が１つの組とされ、1つの組の強度比に基づいて生活習慣病の指標となる一因子の血管情報分析を行うことを特徴とする血管情報分析装置である。この構成によって、生活習慣病の一因子の血管情報分析が１組の単波長の光の照射で簡単に行える。
【００２７】
本発明の第４の形態は、第３の形態において、第１及び第２の単波長の光が緑色光であって、血管の酸素飽和度の血管情報分析を行うことを特徴とする血管情報分析装置である。この構成によって、血管の酸素飽和度の血管情報分析が１組の緑色光の照射で簡単に行える。
【００２８】
本発明の第５の形態は、第１〜第４のいずれかの形態において、第１及び第２の光源のほかに、第３の単波長の光を照射できる少なくとも１個以上の第３の光源を備えて、第１，第２及び第３の光で撮像を行うことを特徴とする血管情報分析装置である。この構成によって、基準となる単波長と測定のための単波長の２波長で測定した場合よりさらに精度の高い血管情報分析が行える。
【００２９】
本発明の第６の形態は、第３〜第５のいずれかの形態において、単波長の光の組が複数組設けられ、光源がそれぞれ複数組の単波長の光を照射して、生活習慣病の指標となる複数因子の血管情報分析を行うことを特徴とする血管情報分析装置である。この構成によって、生活習慣病の複数因子の血管情報分析が同時に複数組の単波長の光の照射で容易に行える。
【００３０】
本発明の第７の形態は、第１〜第６のいずれかの形態において、制御部が、撮像部の出力と同期して光源を駆動し、ビデオレートで単波長の光を順に照射させることを特徴とする血管情報分析装置である。この構成によって、検査部位の動き等のノイズを除去することができ、取得した反射波の画像情報を基に精緻な血管情報分析を行うことができる。
【００３１】
本発明の第８の形態は、第１〜第７のいずれかの形態において、第１及び第２の単波長の光をそれぞれ照射する第１及び第２の光源と、前記光源から順に照射された光を集光し出射端から順次検査部位へ照射する光結合部と、に代えて、光を照射する光源と、前記光源から照射された光の波長を変調して出射端から単波長の光を順次検査部位へ照射する光変調部を設けたことを特徴とする血管情報分析装置である。この構成によって、光源の数を減らしてコンパクトな構成にすることができる。
【００３２】
本発明の第９の形態は、第１及び第２の光源からそれぞれ第１及び第２の単波長の光を順に照射し、これを集光して出射端から順次光信号列として検査部位へ照射し、この反射光によって検査部位を撮像して、第１及び第２の光で撮像した画像情報の強度比を基に血管情報分析を行う生活習慣病因子情報検査方法であって、強度比を取得するに当って血管の方向と幅を検出すると共に血管固有のノイズを除去することを特徴とする生活習慣病因子情報検査方法である。この構成によって、検査部位に対して異なる単波長の光を短時間に順次照射するため、取得した画像情報を基に精緻な血管情報分析を行うことができる。また、光の出射位置と検査部位を一定の位置に配置して、異なった単波長の光ごとに検査部位に合焦点した画像情報を取得し、画像処理で画像のコントラスト差に影響されずに血管を抽出し、血管の方向と幅を検出して血管固有のノイズを異方性ノイズ除去処理によって除去するので、血管情報に含まれる精度の高い生活習慣病の因子情報を得ることができる。また、生活習慣病の一因子あるいは二因子以上の因子情報を簡単に検査することができる生活習慣病因子情報検査方法を提供することができる。
【００３３】
本発明の第１０の形態は、第９の形態において、画像情報の輝度ベクトルの線集中度によって血管の方向と幅を検出し、検出した血管領域に対して異方性ノイズ除去処理を行うことを特徴とする生活習慣病因子情報検査方法である。この構成によって、線集中度によってコントラスト差に影響されずに血管を抽出し、血管の方向と幅を検出し、血管の方向に沿った一様性を示す点に配慮して血管固有のノイズを除去するので、血管情報に含まれる精度の高い生活習慣病の因子情報を得ることができる。
できる。
【００３４】
本発明の第１１の形態は、第９または第１０の形態において、第１及び第２の単波長の光が１つの組とされ、1つの組の強度比に基づいて生活習慣病の指標となる一因子の血管情報分析を行うことを特徴とする生活習慣病因子情報検査方法である。この構成によって、生活習慣病の一因子の血管情報分析が１組の単波長の光の照射で簡単に行える。
【００３５】
本発明の第１２の形態は、第１１の形態において、第１及び第２の単波長の光が緑色光であって、血管の酸素飽和度の血管情報分析を行うことを特徴とする生活習慣病因子情報検査方法である。この構成によって、血管の酸素飽和度の血管情報分析が１組の緑色光の照射で簡単に行える。
【００３６】
本発明の第１３の形態は、第１１または第１２の形態において、単波長の光の組が複数組設けられ、光源からそれぞれ複数組の単波長の光を照射して、生活習慣病の指標となる複数因子の血管情報分析を行うことを特徴とする生活習慣病因子情報検査方法である。この構成によって、生活習慣病の複数因子の血管情報分析が同時に複数組の単波長の光の照射で容易に行える。
【００３７】
本発明の第１４の形態は、第８〜第１２のいずれかの形態において、撮像部の出力と同期して単波長の光をビデオレートで順に照射することを特徴とする生活習慣病因子情報検査方法である。この構成によって、検査部位の動き等のノイズを除去することができ、取得した反射波の画像情報を基に精緻な血管情報分析を行うことができる。
【００３８】
本発明の第１５の形態は、第９〜第１４のいずれかの形態において、前記第１及び第２の光源のほかに、第３の単波長の光を照射する少なくとも１個以上の第３の光源を備えて、前記第１，第２及び第３の光で撮像を行うことを特徴とする請求項９〜１４のいずれかに記載の生活習慣病因子情報検査方法である。この構成によって、基準となる単波長と測定のための単波長の２波長で測定した場合よりさらに精度の高い血管情報分析が行える。
【００３９】
本発明の第１６の形態は、第９〜第１４のいずれかの形態において、第１及び第２の光源からそれぞれ第１及び第２の単波長の光を順に照射するのに代えて、光源から照射された光の波長を変調して第１及び第２の単波長の光を出射端から順次検査部位へ照射することを特徴とする生活習慣病因子情報検査方法である。この構成によって、光源の数を減らしてコンパクトな構成にすることができる。
【００４０】
（実施の形態１）
以下、本発明の実施の形態1における血管情報分析装置及び生活習慣病因子情報検査方法について説明をする。実施の形態1における血管情報分析装置は、眼底の毛細血管の血液情報を検査するものを対象としているが、唇やその他の検査部位であっても、血管に光を照射することにより血液のもつ生活習慣病の因子情報を測定可能な部位であれば検査することができる。
【００４１】
図１は本発明の実施の形態１における血管情報分析装置のブロック構成図、図２は照射する単波長の光の発振スペクトルの一例を示す図、図３は眼底酸素分布を測定した血管情報分析像の写真、図４は５４５ｎｍの緑色レーザー光を唇に照射したときに得られる画像の写真であり、図５は図４の写真の画像情報から血管部分だけの画像情報を抽出した画像の写真、図６（ａ）は毛細血管が存在する部位に仮定する狭幅固定の近傍領域の概念図、図６（ｂ）は狭幅固定の近傍領域における輝度勾配ベクトルの分布の実際を説明する図、図７は輝度勾配ベクトルの狭幅固定の近傍領域における理想的な分布を説明する図、図８（ａ）は空間軸での等方的な小さな観測領域の説明図、図８（ｂ）は空間軸での等方的な大きな観測領域の説明図、図８（ｃ）は空間軸での異方性の観測領域の説明図、図９は本発明の実施の形態１における画像処理の第１のフローチャート、図１０は本発明の実施の形態１における画像処理の第２のフローチャートである。
【００４２】
さて、この血管情報分析装置は、眼球に互いに異なる複数の単波長からなる１組、またはこれが複数組となった光をビデオレート、すなわち人間が１コマとして認識できない映像の１フレーム（１／３０秒）程度、例えば数ｍｍ秒〜数十ｍｍ秒のパルス幅で順次照射する。生活習慣病の一因子ごとに異なる数波長で測定する。これを複数組繰り返し、複数因子を検査する。複数の因子間で共通する情報は因子間で共有することができる。眼底で反射された反射波はＣＣＤなどによって撮像され、波長ごとに画像情報を取得する。この画像情報を基に、血液機能イメージ（血管情報像）を生成するものである。従って、従来のように白色光を照射して、反射波を分光して複数の画像情報を得るものではなく、単波長の光で各光ごとに画像情報を得るものである。なお、照射する光の発振スペクトルの一例を図２に示す。本明細書において単波長の光とは、図２に示すような狭帯域の波長の光のことである。
【００４３】
図１は実施の形態1における血管情報分析装置のブロック図を示す。図１において、１は眼球である。２ijは異なる単波長の光を照射する光源であり、検査する生活習慣病の因子が１つの場合は１組設けられ、検査する因子が複数の場合は複数組設けられる。添字の「ｉ」は複数の因子を検査するときの因子（ｉ＝１，・・，ｍ）を示し、「ｊ」は検査する各因子で使う光の波長（ｊ＝２，・・，ｎ）を示す。従って、光源２ijは全体でｍ×（ｎ−１）個設けられ、ｍ×（ｎ−１）個の波長の光が照射される。光源２ijからの光は眼球１に向けて照射される。
【００４４】
ここで、一因子に対して２個以上の波長の光源を設けている理由は、酸素飽和度で言えば、図１０に示すように５４５ｎｍ、５７０ｎｍ、５８４ｎｍで高低の酸素飽和度が一致し、例えば５３９ｎｍや、５４８ｎｍ、５７７ｎｍにおいてはオキシヘモグロビンとデオキシヘモグロビンの光吸収の差が大きく、これらの箇所で反射率が異なり、比較すると酸素飽和度を測定できるからである。すなわち、酸素飽和度に依存しない高低酸素飽和度が一致した１点を比較のための基準点とし、反射率の異なる酸素飽和度に依存した他の測定点の、少なくとも２点が必要であり、さらに検出精度を上げるためにはより多くの測定点を設けるのが好適であるためである。この場合、各測定点間で重み付けして酸素飽和度が算出されることになる。なお、タンパク質や脂質などについても同様であるが、その検査物質、例えば血漿タンパクなのか、中性脂肪なのか、等が特定されたとき、それぞれ照射する光の波長が定まる。
【００４５】
光源２ijの波長の範囲はどのような範囲でも生活習慣病の因子を測定可能な光を照射できるものであればよい。ただ、紫外線領域はできるだけ避けた方がよい。半導体レーザー、固体レーザー、光ファイバーレーザーなどのレーザーや、ＬＥＤなどの光源が、制御し易く好適である。上述したように酸素飽和度を検査するための波長は緑色であるが、緑色２波長、緑色３波長、それ以上の数の緑色光を照射すればよい。なお、レーザー光を照射するに当っては、米国規格ＡＮＺＩや日本工業規格ＪＩＳ、その他の規格に照らして、少なくとも２ｍＷ／ｍｍ２以下のレベルを守る必要があり、紫外線域の波長はとくに注意すべきである。
【００４６】
図１に示す３は複数の光源２ijから照射されるパルスをパルス列（本発明の光信号列）として順次照射する光結合部である。各光源２ijから照射されたパルスは、ここで集光されて光結合部３に結合された出射端からパルス列として照射される。この各パルス光の出射位置と眼底等の検査部位を一定とし、固定的な配置とすることが実施の形態1における血管情報分析装置の画像のずれをなくす点で重要である。
【００４７】
光結合部３としては、例えば複数の光ファイバーを１本の光ファイバーに光を集合させる光結合器を利用すればよい。なお、光ファイバーが細く、ケーブル状に束ねたとき各パルス光の出射位置が一定位置と看做せるようであれば、単純に各光源の光を個別の光ファイバーで導き、端を束ねて出射端とするのでもよい。また、光結合部３を各光源２ijから照射された光を所定のタイミングで能動的に切り換えてパルス列として出力する光スイッチでもよい。この場合後述の制御部５によって制御される。
【００４８】
なお、異なる単波長の光を照射する光源を複数設けて、複数の単波長の光を照射するのではなく、光源から照射された光を電気的光変調器等の光変調部で変調して複数の単波長の光として出射端から照射するのでもよい。また、一部の単波長の光をそれぞれの光源から、残りの単波長の光は変調器によって変調することにより、１光源から出射することもできる。この構成によって、光源の数を減らしてコンパクトな構成にすることができる。
【００４９】
図１において、４は眼底等からの反射光を受光するＣＣＤやＣＭＯＳ等の撮像部、４ａは撮像制御部、４ｂは反射光の受光で撮像部４に蓄積された電荷が出力される画像信号処理部、５は制御部、６は記憶部である。
【００５０】
光源２ijの照射で撮像部４の各画素が反射光の光を受光すると、撮像部４から蓄積された電荷が画像信号として画像信号処理部４ｂに出力され、ここで撮像ノイズを除去され、増幅されて、Ａ／Ｄ変換されてから画像情報として制御部５に転送される。
【００５１】
制御部５はハードウェア的には血管情報分析装置全体のシステムを制御する１個または複数個のプロセッサーであり、記憶部６に格納されているプログラムを読み出して所定の制御機能を実行する機能実行手段として構成される。
【００５２】
記憶部６はハードウェア的にはＲＯＭとＲＡＭ、さらに画像情報を格納する不揮発メモリ等から構成され、撮像部４が得た画像情報は一旦記憶部６の検査情報メモリ部６ａに保存される。各生活環境病の各因子ごとに、所定の波長の発光で検出された基準となる画像情報と、測定用の波長で検出された測定画像情報が１組として格納される。
【００５３】
次に、図１に示す制御部５には次の機能実現手段が搭載されている。７は検査情報メモリ部６ａに保存された画像情報を基に血管の血液状態情報を算出するデータ演算手段、８は画像情報から血管部分を抽出すると共に取得した血管機能イメージ（血管情報像）に色付けをしたりその他の画像処理を行う画像処理手段である。そして、８ａは、画像情報のノイズを取り除く画像フィルター手段である。なお、本発明ではビデオレートで画像情報を取得しており、光の照射を受けて瞳孔が収縮する時間の数十分の１の短時間に撮像を終えるため、眼の動きが原因のノイズが混入する可能性は低い。
【００５４】
さて、データ演算手段７は波長ごとの血管の血液状態情報、すなわち生活習慣病の因子情報を算出する。酸化飽和度で言えば、酸素飽和度に依存しない５４５ｎｍの基準となる血管の画像情報と、酸素飽和度に依存した近傍の５３９ｎｍで検出された血管の測定画像情報の、少なくとも２つの画像情報の強度（輝度）を求め、両者の輝度の強度比を計算することにより、血液の酸素飽和度を求めることができる。図３は眼底酸素分布を測定した血管情報分析像の一例である。なお、この図３の血管情報分析像は人間のものではなく、猿に対して行ったものである。
【００５５】
画像処理手段８はデータ演算手段７が演算を行う前に、血管の画像情報から画像フィルター手段８ａによって血管の抽出とノイズ除去を行う。この詳細については後述する。各波長で取得した画像情報から血管部分だけを抽出し、この血管部分の画像のノイズを背景の情報が影響しないように補正する。図４は５４５ｎｍの緑色レーザー光を唇に照射したときに得られる画像であり、図５はこの画像から血管部分だけの画像情報を抽出して補正を行った画像である。図５のような画像を基準となる画像情報と測定画像情報とでそれぞれ作り、血管部分の対応位置で画像の強度比を求め、強度比の２次元分布を取得し、これを段階別で色分けなどしたものが図３のような血管情報分析像となる。
【００５６】
図５に示す画像の中央の丸く明るいグレーの領域が、眼底の毛細血管が多数存在するところであり、この領域の中で白くみえているところが酸素の分布が比較的多いところである。中央の白い部分の中で黒っぽく表示されているところが最も酸素濃度が高いところである。これに対し、グレーの丸い領域の外部の暗い部分は各光源２ijからの光量が足らず、照度が低い部分である。しかし、実施の形態1における血管情報分析装置においては、この中央の情報で十分な情報量が得られる。
【００５７】
次にデータ演算手段７は、このようにして得られた画像情報を基に、画像強度から血管部分の強度比を計算し、強度比分布の情報を生成する。画像処理手段８はこれに基づいて血管情報分析像を生成する。この血管情報分析像、さらに原画像等は制御部５によって後述する表示装置１０に表示させることができる。また、このとき取得された血管情報分析像のデータや画像情報は、１因子ごとに検査情報メモリ部６ａに格納される。
【００５８】
なお、基準となる画像情報と測定画像情報をそれぞれ１つずつ測定するほかに、第２の波長、例えば５４８ｎｍで撮影した測定画像情報などがあるときは、この第２の波長５４８ｎｍで撮影した測定画像情報と基準となる画像情報とから得られた第２の強度比を計算するのがよい。さらに第３、第４の波長があれば第３、第４の強度比を計算し、これらを第１の強度比との間で重みづけした強度比を算出して、強度比分布とする。画像処理手段８はこれに基づいて血管情報分析像を生成する。従って、第２、第３の波長で測定して全体として強度比を算出すれば、第１の波長だけで測定した場合よりさらに精度の高い血管情報分析像となる。
【００５９】
続いて、図１に戻って血管情報分析装置の表示機能について説明する。９は表示制御手段、１０は表示制御手段９からの出力で血管情報分析像、原画、あるいは演算によって得られた酸素飽和度等の数値データを表示する表示装置である。制御部５は表示制御手段９によって検査情報メモリ部６ａの血管情報分析像、画像情報等のＲＧＢ信号を表示装置１０に出力させる。表示装置１０では、このＲＧＢ信号に従って血管情報分析像、原画像等を表示する。
【００６０】
また、血管情報分析装置の光源制御機能は制御部５が行う。図１において、１１は制御部５に設けられたタイマ等の計時手段である。少なくともｍｍ秒をカウントできる。制御部５は、画像信号処理部４ｂに撮像部４から画像信号を出力するのに同期して次の光源２ijの駆動部（図示しない）を順に動作させるが、計時手段１１によってカウントされた所定の時間遅延させたタイミングで次の光源２ijを動作させることもできる。これにより、各光源２ijのパルスは光結合部３によってパルス列とされ、眼底からの反射光は撮像部４で受光される。
【００６１】
このように実施の形態1における血管情報分析装置は、眼球に異なる波長の１組または複数組の光をビデオレートで順次照射し、この光を極短時間のパルスとすることによって眼球の動き等のノイズを除き、この反射波の画像情報を基に血管の血液状態情報を測定する。従って、従来のように白色光を照射し、反射波を分光して複数の画像情報を取得して分析するものではなく、異なった単波長の光ごとにそのまま画像情報を得て、画像処理によって血液状態の情報を測定するものである。このため、安価でコンパクト、きわめて簡素な構成で、実用的な非侵襲型の血管情報分析装置にすることができる。また、実施の形態1における血管情報分析装置は、検査対象が血管であることを利用して、この特性を活かして画像処理によって精度の高い情報を得るものである。
【００６２】
そこで、実施の形態1における血管情報分析装置の画像フィルター手段８ａについて詳細に説明する。実施の形態1における血管情報分析装置では、瞬間的に光を照射して眼底等のスポットライト的な画像を取得し、これによって血管情報を抽出する。このときスポットライト的な画像であるため、画像に大きなコントラストの差が生じることが避けられない。通常の画像処理では、コントラストの影響を取り除くために前処理が必要で、演算が複雑で時間がかかり、処理結果はノイズが多く、血管情報を抽出することは難しい。
【００６３】
このため実施の形態1では、得られた画像を線集中ベクトル場（Line-convergence vector field）として捉え、線状領域のモデルを使ってコントラスト、線の幅等の影響を受けずに血管情報を検出する。このとき輝度の１次微分ベクトル（以下、輝度勾配ベクトル）の強度を無視し、ベクトルの方向分布のみに着目する。ベクトルの方向だけに注目すると、血管が理想的な線状凸領域の場合、尾根線は輝度の最大値をもつ。この状態で輝度勾配ベクトルはこの尾根線と直交する向きを持ち、この尾根線の両側で対向して分布し、尾根線に向って揃って線集中する。このような性質を利用して血管情報（向きと幅）を抽出し、不要なノイズを除去するものである。なお、このような輝度勾配ベクトルが集中する尾根線をベクトル集中線という。図６（ａ）は毛細血管が存在する部位に仮定する狭幅固定の近傍領域の概念図、図６（ｂ）は狭幅固定の近傍領域における輝度勾配ベクトルの分布の実際を説明する図である。図７は輝度勾配ベクトルの狭幅固定の近傍領域における理想的な分布を説明する図である。図６（ｂ）、図７においてＶはベクトル集中線、ｒ１、ｒ２は狭幅固定の矩形の近傍領域を示し、φはベクトル集中線Ｖ（尾根線）の方向、Ｗは後述する線集中度の計算で線分（血管）と判断された幅である。これらは本発明者が詳細に特許文献３で開示したとおりである。
【００６４】
この方法では画像から血管情報を抽出するとき、画像中に出現した線状凸領域（血管）のベクトル集中線Ｖ（尾根線）を検出する。具体的には、処理対象の血管画像に対して仮定の注目点Ｐを次々と移動し、それぞれの注目点Ｐで狭幅固定の近傍領域ｒ１、ｒ２を想定して、線集中度ＣＮが最大となる探索線（仮定のベクトル集中線）を求める。なお、線集中度ＣＮはベクトルの集中を評価できる所定の範囲で単減少する余弦関数等の関数を利用して評価する評価値である。余弦関数の場合線集中度ＣＮは−１〜＋１の値をもつ。この線集中度ＣＮが最大となる探索線が尾根線であるベクトル集中線になる。尾根線が抽出できれば、画像から線分（血管）が抽出できたことになる。線集中度ＣＮがノイズ耐性値、例えば０．５以上の部分が線分であると定義すればこの部分が血管部分と判断され、この線分の幅を血管の幅と判断できる。
【００６５】
線集中度がノイズ耐性値より大きい値だけを線情報と判断し、それより低い場合を線とは看做さず除去するので、線分を残し画像を鮮明にすることができる。ベクトルの向く方向で線集中度ＣＮを計算するのでコントラストの影響は受けにくく、狭幅固定の近傍領域ｒ１、ｒ２による線集中度ＣＮは非常に狭い小さな領域だけであるため、ノイズの影響を受けず、尾根線だけをシャープに抽出することができる。実施の形態１のように、単波長の光をごく短時間照射するような線集中度ＣＮでは、１０倍以上のコントラスト差を持つ場合でも、異なる方向で交叉する線をそれぞれ個別に検出することが可能で、実画像が入り組んだ複雑な構造であっても安定した線の方向と広がりの検出が可能になる。
【００６６】
さて、実施の形態1における血管情報分析装置の画像フィルター手段８ａは、このような狭幅固定の近傍領域ｒ１、ｒ２による線集中度ＣＮによって血管の方向と幅を検出した後に、さらに血管部分で血管特有のノイズ除去を行う。ところで微細な構造を高速に測定するとき、機器から混入するノイズ（外乱）の時間的、空間的発生確率は一般的に正規分布に従う。従って、時間軸、空間軸における平滑化処理によりこの除去が可能である。
【００６７】
しかし、ごく短時間で時間的変化するような場合には、時間軸によるノイズの推定と除去に必要な十分な測定時間を確保できない。加えて、測定対象が毛細血管などのように非常に細長い形状をしている場合、図８（ａ）、図８（ｂ）に示すとおり、一般的な空間軸での等方的な観測では適当な観測領域を確保できない。すなわち、このような場合の測定においては、図８（ａ）に示すような観測領域Ａを使うのでは領域が小さすぎてノイズ除去能力が低下してしまうし、図８（ｂ）に示すような観測領域を使うのでも、観測領域Ａが大きすぎて背景の画像の影響で画像の劣化が大きくなってしまう。
【００６８】
そこで、図８（ｃ）のように、対象領域の形状に応じて対象領域を決定する異方性ノイズ除去処理が有効となる。しかし、実画像においてはコントラストに多様性がある上、線の交叉などの影響により構造が複雑になり、従来の画像フィルターでは正確に対象領域の形状を検出することは難しい。
【００６９】
しかし、実施の形態1における画像フィルター手段８ａは、上述したように狭幅固定の近傍領域ｒ１、ｒ２による線集中度ＣＮによって、線分（血管）の方向と幅の情報を有している。そこで、線集中度の算出によって得られた血管の方向と幅情報を基に、異方性ノイズ除去処理に必要な十分な大きさの観測領域Ａを設定し、背景の影響による劣化を避けつつ、十分なノイズ除去能力をもつ異方性フィルターを構築できる。しかも、血管に沿って血液の流れは一様性を保っているので、この異方性フィルターは血管の特徴を最も反映した画像フィルターとなりえるものである。この観測領域Ａは線分（血管）の幅Ｗ内に収まる図６（ｄ）のような血管に沿って長い矩形領域か、図８（ｅ）のような楕円形領域が好適であり、この観測領域内では処理をガウラシアンフィルター、あるいはメディアンフィルターとしてノイズ除去するのがよい。なお、観測領域の幅ｗは血管の幅Ｗとの間にＷ＝（４〜６）×ｗ程度の関係があれば十分である。この異方性フィルターを用いることにより、血管のノイズは十分に除去できる。
【００７０】
以上説明した実施の形態1におけるノイズ処理の手順（異方性ノイズ除去方法）について図９、図１０のフローチャートに基づいて説明する。なお、図９、図１０の異方性ノイズ除去フィルターによるノイズ処理は実装方法が異なるだけであり、両者は実質的には変わらない。まず、図９の説明をすると、入力画像の中に注目点Ｐを仮定し（ｓｔｅｐ１）、注目点Ｐで狭幅固定の近傍領域ｒ１、ｒ２を想定して、探索線を仮定し、線集中度ＣＮが最大となる探索線（ベクトル集中線）を求める（ｓｔｅｐ２）。注目点Ｐを次々と移動し、すべてのベクトル集中線Ｖが取得されたか否かを判断し（ｓｔｅｐ３）、すべてのベクトル集中線Ｖが取得されていない場合はｓｔｅｐ１へ戻り、全ベクトル集中線Ｖが取得されている場合は、画像上のすべての線分（血管）の方向と幅が取得されたことになる（ｓｔｅｐ４）。
【００７１】
次いで、方向と幅とが分かった血管の中に注目点Ｐを仮定し、この注目点Ｐに対するノイズ除去のための観測領域Ａを仮定する（ｓｔｅｐ５）。この観測領域内Ａ内の値によるノイズ除去処理を行って（ｓｔｅｐ６）、出力画像の注目点Ｐの位置にデータを保存する。この後、すべての画素（注目点Ｐ）で次々と観測領域Ａを仮定してノイズ除去処理を繰り返し、ノイズ除去が終了したか否かがチェックされ、終了していなければｓｔｅｐ５に戻って繰り返し、終了していればノイズ除去処理は終了する。なお、血管以外の領域についても一般のノイズ処理を行うのがよい。また、血管の幅の両サイドでは観測領域Ａの設定が難しく、ノイズ除去できない狭い領域が残る可能性があるが、観測領域の幅ｗを小さくするなどこれは更なるノイズ除去の今後の課題である。なお、ｓｔｅｐ６のノイズ除去処理に関して、メディアンフィルターやモフォロジカルフィルターなど、ノイズ評価値が最小となるような探索を行う再帰的な処理もある。
【００７２】
続いて、図１０に示すラスタースキャンに準じた第２の実装方法によるノイズ処理を説明する。図１０において、まず注目点Ｐの位置を初期化する（ｓｔｅｐ１１）。次に、入力画像の注目点Ｐ上の線集中度を計測し、ベクトル集中線と集中ベクトル場の情報を取得する（ｓｔｅｐ１２）。
【００７３】
次に、線分（血管）の存在と方向と幅を取得し（ｓｔｅｐ１３）、注目点Ｐの近傍領域である観測領域Ａを決定する（ｓｔｅｐ１４）。そして、入力画像の観測領域Ａの情報を使って注目点Ｐのノイズを除去し、出力画像の注目点Ｐの位置に保存する（ｓｔｅｐ１５）。さらに次の画素に注目点Ｐを移動する（ｓｔｅｐ１６）。ここで、すべての画素について計算したか否かを判定し（ｓｔｅｐ１７）、すべての画素について計算が終了していなければｓｔｅｐ１２へ戻り、終了していれば終了する。
【００７４】
なお、既述したように実施の形態１の画像フィルターは、細長い線状構造物であれば、込み入った複雑な構造でも、画像情報の輝度ベクトルの線集中度によって線の方向と幅を検出し、検出した線状領域に対して異方性ノイズ除去処理を行うことができるものである。それ故、血管情報分析装置だけでなく、細長い線状構造物なら一般的に高精度に分析が可能となる。血管を分析したときはきわめて効果的に血管固有のノイズを除去することができる。
【００７５】
このように、実施の形態1における血管情報分析装置と生活習慣病因子情報検査方法によれば、眼球に異なる単波長の１組または複数組の光をビデオレートで順次照射するので、眼球の動き等のノイズを排除することができ、この反射波の画像情報を基に血液情報を取得することができる。異なった単波長の光を照射し、各光ごとに画像情報を得て、そのまま画像処理して分析するため、機械的な走査も分光測定する必要はなく、安価でコンパクト、きわめて簡素な構成で、実用的な非侵襲型の血管情報分析装置にすることができる。また、この生活習慣病因子情報検査方法によれば、生活習慣病の１以上の因子情報を簡単にまた同時に検査することができる。
【００７６】
さらに、実施の形態1における血管情報分析装置と生活習慣病因子情報検査方法は、輝度勾配ベクトルの線集中度を使った画像処理で画像のコントラスト差に影響されずに血管を抽出することができ、検査対象が血管であることを利用して、この特性を活かした画像フィルターによって血管情報に含まれる精度の高い生活習慣病の因子情報を得ることができる。
【産業上の利用可能性】
【００７７】
本発明は、眼底などの血管情報分析装置に適用できる。
【図面の簡単な説明】
【００７８】
【図１】本発明の実施の形態１における血管情報分析装置のブロック構成図
【図２】照射する単波長の光の発振スペクトルの一例を示す図
【図３】眼底酸素分布を測定した血管情報分析像の写真
【図４】５４５ｎｍの緑色レーザー光を唇に照射したときに得られる画像の写真
【図５】図４の写真の画像情報から血管部分だけの画像情報を抽出した画像の写真
【図６】（ａ）は毛細血管が存在する部位に仮定する狭幅固定の近傍領域の概念図、（ｂ）狭幅固定の近傍領域における輝度勾配ベクトルの分布の実際を説明する図
【図７】輝度勾配ベクトルの狭幅固定の近傍領域における理想的な分布を説明する図
【図８】（ａ）空間軸での等方的な小さな観測領域の説明図、（ｂ）空間軸での等方的な大きな観測領域の説明図、（ｃ）空間軸での異方性の観測領域の説明図
【図９】本発明の実施の形態１における画像処理の第１のフローチャート
【図１０】本発明の実施の形態１における画像処理の第２のフローチャート
【図１１】眼底反射スペクトルの酸素飽和度依存性を示す説明図
【符号の説明】
【００７９】
１    眼球
２ij（ｉ＝１，・・，ｍ；ｊ＝２，・・，ｎ）    光源
３    光結合部
４    撮像部
４ａ    撮像制御部
４ｂ    画像信号処理部
５    制御部
６    記憶部
６ａ    検査情報メモリ部
７    データ演算手段
８    画像処理手段
８ａ    画像フィルター手段
９    表示制御手段
１０    表示装置
１１    計時手段
【図１】
2008142296.tif 000003
【図２】
2008142296.tif 000004
【図６】
2008142296.tif 000005
【図７】
2008142296.tif 000006
【図８】
2008142296.tif 000007
【図９】
2008142296.tif 000008
【図１０】
2008142296.tif 000009
【図１１】
2008142296.tif 000010
【図３】
2008142296.tif 000011
【図４】
2008142296.tif 000012
【図５】
2008142296.tif 000013